(57)【要約】【課題】押圧時に接着剤層を基材に対して適切な大きさに広がらせることができる接着シートを提供すること。【解決手段】接着シートＡＳは、基材ＢＳと、基材ＢＳの少なくとも一方の面に設けられた接着剤ＡＤ層とを備え、基材ＢＳは、少なくとも一方の面の外縁部に接着剤ＡＤ層が設けられない接着剤未積層部ＮＡを有し、接着剤ＡＤ層は、所定の厚みを有する基部ＦＡと、基部ＦＡ上で基材ＢＳから遠ざかる方向に突出した突出部ＦＢとを備え、突出部ＦＢは、基材ＢＳの接着剤未積層部ＮＡの面積に基部ＦＡの厚みＴＡを乗じた外縁空間ＰＳの体積と同じ体積に設定されている。【選択図】図１
2015189800.tif 000002
【特許請求の範囲】
【請求項１】
基材と、
前記基材の少なくとも一方の面に設けられた接着剤層とを備え、
前記基材は、少なくとも一方の面の外縁部に前記接着剤層が設けられていない接着剤未積層部を有し、
前記接着剤層は、所定の厚みを有する基部と、前記基部上で前記基材から遠ざかる方向に突出した突出部とを備え、
前記突出部は、前記基材の接着剤未積層部の面積に前記基部の厚みを乗じた外縁空間の体積と同じ体積に設定されていることを特徴とする接着シート。
【請求項２】
基材と、
前記基材の少なくとも一方の面に設けられた接着剤層とを備え、
前記基材は、少なくとも一方の面の外縁部に前記接着剤層が設けられていない接着剤未積層部を有し、
前記接着剤層は、前記基材から遠ざかる方向に突出した突出部を備え、前記基材全体に単位面積あたり所定の押圧力を加えたときに、前記突出部が押し潰されて所定の厚みで前記基材全面に広がるように設定されていることを特徴とする接着シート。
【請求項３】
基材と、
前記基材の少なくとも一方の面全面に設けられた接着剤層とを備え、
前記接着剤層は、前記基材から遠ざかる方向に突出した突出部を備え、前記基材全体に単位面積あたり所定の押圧力を加えたときに、前記突出部が押し潰されて所定の厚みで前記基材全面に広がるように設定されていることを特徴とする接着シート。
【請求項４】
前記接着剤層は、被着体に点接触可能な１の頂点を有する１の突出部を備え、前記頂点から離間したいずれの位置においても当該頂点側が外縁側に比べて肉厚に設けられていることを特徴とする請求項１から請求項３のいずれかに記載の接着シート。
【請求項５】
前記接着剤層は、被着体に線接触可能な１の頂線を有する１の突出部を備え、前記頂線から離間したいずれの位置においても当該頂線側が外縁側に比べて肉厚に設けられていることを特徴とする請求項１から請求項３のいずれかに記載の接着シート。
【発明の詳細な説明】
【技術分野】
【０００１】
本発明は、接着シートに関する。
【背景技術】
【０００２】
従来、基材に接着剤層が積層された接着シートが知られている（例えば、特許文献１参照）。
特許文献１に記載の接着シートは、シート基材（基材）と、シート基材の一方の面の外縁部（接着剤未積層部）よりも内側の領域に設けられた粘着剤層（接着剤層）とを備え、押圧時に押し出された粘着剤層がシート基材の外縁部に留まることができるようになっている。
【先行技術文献】
【特許文献】
【０００３】
【特許文献１】特開２００７−１７８８７４号公報
【発明の概要】
【発明が解決しようとする課題】
【０００４】
しかしながら、特許文献１に記載されたような従来の接着シートは、基材の大きさと、押し出される接着剤層の量との関係が考慮されていないため、押圧時に接着剤層が基材からはみ出したり、接着剤層が基材の外縁まで広がらなかったりするという不都合がある。
【０００５】
本発明の目的は、押圧時に接着剤層を基材に対して適切な大きさに広がらせることができる接着シートを提供することにある。
【課題を解決するための手段】
【０００６】
本発明の接着シートは、基材と、前記基材の少なくとも一方の面に設けられた接着剤層とを備え、前記基材は、少なくとも一方の面の外縁部に前記接着剤層が設けられていない接着剤未積層部を有し、前記接着剤層は、所定の厚みを有する基部と、前記基部上で前記基材から遠ざかる方向に突出した突出部とを備え、前記突出部は、前記基材の接着剤未積層部の面積に前記基部の厚みを乗じた外縁空間の体積と同じ体積に設定されていることを特徴とする。
【０００７】
本発明の接着シートは、基材と、前記基材の少なくとも一方の面に設けられた接着剤層とを備え、前記基材は、少なくとも一方の面の外縁部に前記接着剤層が設けられていない接着剤未積層部を有し、前記接着剤層は、前記基材から遠ざかる方向に突出した突出部を備え、前記基材全体に単位面積あたり所定の押圧力を加えたときに、前記突出部が押し潰されて所定の厚みで前記基材全面に広がるように設定されていることを特徴とする。
【０００８】
本発明の接着シートは、基材と、前記基材の少なくとも一方の面全面に設けられた接着剤層とを備え、前記接着剤層は、前記基材から遠ざかる方向に突出した突出部を備え、前記基材全体に単位面積あたり所定の押圧力を加えたときに、前記突出部が押し潰されて所定の厚みで前記基材全面に広がるように設定されていることを特徴とする。
【０００９】
本発明の接着シートにおいて、前記接着剤層は、被着体に点接触可能な１の頂点を有する１の突出部を備え、前記頂点から離間したいずれの位置においても当該頂点側が外縁側に比べて肉厚に設けられていることが好ましい。
本発明の接着シートにおいて、前記接着剤層は、被着体に線接触可能な１の頂線を有する１の突出部を備え、前記頂線から離間したいずれの位置においても当該頂線側が外縁側に比べて肉厚に設けられていることが好ましい。
【発明の効果】
【００１０】
本発明によれば、接着剤層の突出部が外縁空間の体積と同じ体積に設定されているため、押し出される接着剤層の量を基材の接着剤未積層部の大きさに合わせることができ、押圧時に接着剤層を基材に対して適切な大きさに広がらせることができる。
【００１１】
また、本発明によれば、接着剤層が、基材全体に単位面積あたり所定の押圧力を加えたときに、突出部が押し潰されて所定の厚みで基材全面に広がるように設定されているので、押圧時に接着剤層を基材に対して適切な大きさに広がらせることができる。
【００１２】
さらに、接着剤層に１の頂点または１の頂線を有する１の突出部を設ければ、接着剤層と被着体との貼付領域が頂点または頂線から徐々に外縁側に広がるため、空気を追い出すようにして接着シートを貼付することができる。また、基材が硬くて変形しないものや、基材が変形し難いものや、基材が脆弱で変形させると破損してしまうものや、基材が脆弱で変形させると破損するおそれのあるものなどの場合でも、空気を追い出しながら被着体との間に気泡が形成されないように接着シートを貼付することができる。
【図面の簡単な説明】
【００１３】
【図１】（Ａ）は本発明の第１実施形態に係る接着シートの斜視図、（Ｂ）は（Ａ）の側面図。
【図２】（Ａ）は本発明の第２実施形態に係る接着シートの斜視図、（Ｂ）は（Ａ）の側面図。
【図３】図２の接着シートの使用例を示す側面図。
【図４】本発明の変形例に係る接着シートの側面図。
【図５】本発明の変形例に係る接着シートの側面図。
【発明を実施するための形態】
【００１４】
以下、本発明の各実施形態を図面に基づいて説明する。
なお、各実施形態での同様の構成については、詳細な説明を省略する。
また、各実施形態および変形例において、Ｘ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、各実施形態および変形例では、Ｙ軸と平行な矢印ＡＲ方向から観た場合を基準とし、方向を示した場合、「上」がＺ軸の矢印方向で「下」がその逆方向、「左」がＸ軸の矢印方向で「右」がその逆方向、「前」がＹ軸の矢印方向で「後」がその逆方向とする。
【００１５】
［第１実施形態］
図１において、接着シートＡＳは、基材ＢＳと、基材ＢＳの一方の面に設けられた接着剤ＡＤ層とを備えている。
【００１６】
基材ＢＳは、一方の面の外縁部に接着剤ＡＤ層が設けられていない接着剤未積層部ＮＡを有し、被着体（例えば半導体ウエハ）ＷＫの形状に合わせた形状（例えば円形）に形成されている。基材ＢＳの材質としては、特に制限はなく、例えば、上質紙、グラシン紙、コート紙などの紙類、これらの紙類にポリエチレンなどの熱可塑性樹脂をラミネートしたラミネート紙、ポリエステル（例えばポリエチレンテレフタレート、ポリエチレンナフタレート）、ポリオレフィン（例えばポリプロピレン、ポリエチレン）、ポリ塩化ビニル、ポリ塩化ビニリデン、ポリスチレン、ポリカーボネート、ポリビニルアルコール、ポリウレタン、アクリル系樹脂などのプラスチック、セルローストリアセテート、セルロースジアセテート、セロハンなどのセルロース、天然ゴムやシリコンゴムなどのゴム、木材、金属、陶器、硝子、石材などで構成され、１μｍ〜１００ｍｍの厚みを有するものが例示できる。
【００１７】
接着剤ＡＤ層は、所定の厚みＴＡを有する基部ＦＡと、被着体ＷＫに点接触可能な１の頂点ＴＰを有し、基部ＦＡ上で基材ＢＳから遠ざかる方向に突出した１の突出部ＦＢとを備え、頂点ＴＰから離間したいずれの位置においても当該頂点ＴＰ側が外縁側に比べて肉厚に設けられている。
基部ＦＡは、基材ＢＳよりも小さい外形形状を有し、外縁が基材ＢＳの外縁よりも内側に位置している。この基部ＦＡとしては、１μｍ〜５ｍｍの厚みを有するものが例示できる。
突出部ＦＢは、基材ＢＳの接着剤未積層部ＮＡの面積に基部ＦＡの厚みＴＡを乗じた外縁空間ＰＳの体積と同じ体積に設定されている。具体的に、突出部ＦＢは、頂点ＴＰが基材ＢＳの中央に位置し、当該頂点ＴＰから接着剤ＡＤ層の外縁側に向けて側面視で直線状に傾斜する略円錐形状に形成されている。また、突出部ＦＢが円錐形状とされ、基材ＢＳが円形形状とされている場合、当該突出部ＦＢは、下記式（１）で算出される体積ＶＬを有し、突出部ＦＢにおける頂点ＴＰの高さＨＴは、下記式（２）で算出される。なお、突出部ＦＢにおける頂点ＴＰの高さＨＴは、当該突出部ＦＢの最下部に比べて１μｍ〜５ｍｍ高くなっているものが例示できる。
【００１８】
ＶＬ＝π×（ＲＢ２−ＲＡ２）×ＴＡ・・・（１）
ＨＴ＝３×（ＲＢ２−ＲＡ２）×ＴＡ÷ＲＡ２・・・（２）
ＴＡ：基部ＦＡの厚み
ＲＡ：接着剤ＡＤ層の半径
ＲＢ：基材ＢＳの半径
【００１９】
以上の接着剤ＡＤ層は、被着体ＷＫに押圧する際に流動性を発揮するもので構成され、突出部ＦＢが押し均されて厚みが略一様（略均等）になるように形成されている。この接着剤ＡＤ層は、例えば、アクリル系、ゴム系、シリコン系の粘着剤で構成され、１μｍ〜５ｍｍの厚みを有するものが例示できる。
【００２０】
以下、接着シートＡＳを被着体ＷＫに貼付する手順は、第２実施形態の貼付手順と同等なのでここでの説明は省略する。
【００２１】
［第２実施形態］
次に、本発明の第２実施形態を図２に基づいて説明する。
本実施形態の接着シートＡＳは、基材ＢＳの一方の面に接着剤層としての第１接着剤ＡＤ１層が設けられ、基材ＢＳの他方の面に接着剤層としての第２接着剤ＡＤ２層が設けられた両面接着シートである点と、各接着剤ＡＤ１、ＡＤ２層の構成とが、第１実施形態と相違する。
【００２２】
第１接着剤ＡＤ１層は、基部ＦＡと、被着体としての第１被着体ＷＫ１に線接触可能な１の頂線ＴＬを有する１の突出部ＦＣとを備え、頂線ＴＬから離間したいずれの位置においても当該頂線ＴＬ側が外縁側に比べて肉厚に設けられている。
突出部ＦＣは、頂線ＴＬが基材ＢＳの中央を通り、当該頂線ＴＬから外縁側に向けて側面視で直線状に傾斜するように２つの面が所定の角度で繋がる面を備え、基材ＢＳの接着剤未積層部ＮＡの面積に基部ＦＡの厚みＴＡを乗じた外縁空間ＰＳの体積と同じ体積に設定されている。
【００２３】
第２接着剤ＡＤ２層は、第１接着剤ＡＤ１層と同様な構成であるため、その説明を省略する。ここで、第２接着剤ＡＤ２層の突出部ＦＣは、被着体としての第２被着体ＷＫ２に線接触可能な１の頂線ＴＬを有している。
なお、基材ＢＳおよび各接着剤ＡＤ１、ＡＤ２層の材質や厚み、基部ＦＡの厚みＴＡ、突出部ＦＣにおける頂線ＴＬの高さＨＴは、第１実施形態と同様のものが例示できる。
【００２４】
以下、接着シートＡＳを第１被着体ＷＫ１および第２被着体ＷＫ２に貼付する手順を説明する。なお、接着シートＡＳは、図３（Ａ）に示すように、第２接着剤ＡＤ２層に対応する形状に凹んだ凹部ＲＬ１を有する剥離シートＲＬに、第２接着剤ＡＤ２層が仮着されている。
先ず、支持手段２０の支持面２１で接着シートＡＳを剥離シートＲＬ側から支持する。そして、第１被着体ＷＫ１の被着面ＷＡ１と支持面２１とを略平行に配置し、支持面２１に略直交する方向に支持手段２０と第１被着体ＷＫ１とを相対移動させ、図３（Ａ）に示すように、第１接着剤ＡＤ１層の頂線ＴＬを被着面ＷＡ１に当接させる。その後も、支持手段２０と第１被着体ＷＫ１との相対移動により、突出部ＦＢが押し潰されながら、接着剤ＡＤ層が徐々に外縁に向かって貼付されてゆく。そして、突出部ＦＢが押し潰されることで、第１接着剤ＡＤ１が流動し、図３（Ｂ）に示すように、当該第１接着剤ＡＤ１が外縁空間ＰＳを埋め尽くした時点で、支持手段２０と第１被着体ＷＫ１との相対移動を停止する。ここで、突出部ＦＢが外縁空間ＰＳの体積と同じ体積に設定されているので、第１接着剤ＡＤ１層は、厚みＴＡで押し均されることとなる。なお、ここまでは、第２接着剤ＡＤ２層と剥離シートＲＬとがない第１実施形態の接着シートＡＳを貼付する手順と同等である。
【００２５】
次に、人手または吸着パッド等の図示しない剥離手段で、図３（Ｃ）に示すように、第２接着剤ＡＤ２層から剥離シートＲＬを剥離する。そして、支持面２３で第２被着体ＷＫ２を支持した支持手段２２を被着面ＷＡ２と支持面２３とが略平行となるように配置し、支持面２３に略直交する方向に支持手段２２と第２被着体ＷＫ２とを相対移動させ、図３（Ｄ）に示すように、被着面ＷＡ２に第２接着剤ＡＤ２層の頂線ＴＬを当接させる。その後も、支持手段２２と第２被着体ＷＫ２との相対移動により、突出部ＦＢが押し潰されながら、接着剤ＡＤ層が徐々に外縁に向かって貼付されてゆく。そして、突出部ＦＢが押し潰されることで、第１接着剤ＡＤ１が流動し、図３（Ｅ）に示すように、当該第１接着剤ＡＤ１が外縁空間ＰＳを埋め尽くした時点で、支持手段２２と第２被着体ＷＫ２との相対移動を停止する。
【００２６】
以上のような各実施形態によれば、接着剤ＡＤ層の突出部ＦＢが外縁空間ＰＳの体積と同じ体積に設定されているため、押し出される接着剤ＡＤ層の量を基材ＢＳの接着剤未積層部ＮＡの大きさに合わせることができ、押圧時に接着剤ＡＤ層を基材ＢＳに対して適切な大きさに広がらせることができる。
また、第２実施形態によれば、接着シートＡＳを介して第２被着体ＷＫ２を第１被着体ＷＫ１に貼付することができる。
【００２７】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれる。
【００２８】
例えば、第１、第２実施形態において、基材ＢＳ全体に単位面積あたり所定の押圧力を加えたときに、突出部ＦＢ、ＦＣが押し潰されて各外縁空間ＰＳを埋め尽くし、各接着剤ＡＤ、ＡＤ１、ＡＤ２層が所定の厚みＴＡで基材ＢＳ全面に広がるように設定してもよい。なお、単位面積あたり所定の押圧力とは、例えば、１００ＫＰａ〜３００ＫＰａ程度の押圧力が例示できるが、それ以下でもそれ以上でもよい。
【００２９】
また、図４に示すように、基材ＢＳの一方の面に接着剤ＡＤ、ＡＤ１、ＡＤ２層を設け、基材ＢＳは、一方の面の外縁部に接着剤ＡＤ、ＡＤ１、ＡＤ２層が設けられていない接着剤未積層部ＮＡを有し、接着剤ＡＤ、ＡＤ１、ＡＤ２層は、基材ＢＳから遠ざかる方向に突出した突出部ＦＢ、ＦＣを備え、基材ＢＳ全体に単位面積あたり所定の押圧力を加えたときに、同図中二点鎖線で示すように、突出部ＦＢ、ＦＣが押し潰されて所定の厚みＴＢで基材ＢＳ全面に広がるように設定されてもよい。なお、単位面積あたり所定の押圧力とは、例えば、１００ＫＰａ〜３００ＫＰａ程度の押圧力が例示できるが、それ以下でもそれ以上でもよい。このような場合でも、上述と同様の効果を得ることができる。この場合、接着剤ＡＤ、ＡＤ１、ＡＤ２層に基部ＦＡがあってもよいし、なくてもよく、例えば、接着剤ＡＤ層に基部ＦＡがなく、突出部ＦＢが円錐形状とされている場合、基材ＢＳ全面に広がった際の当該接着剤ＡＤ層の厚みをＴＢとした場合、突出部ＦＢにおける頂点ＴＰの高さＨＴは、下記式（３）で算出される。
【００３０】
ＨＴ＝３×ＲＢ２×ＴＢ÷ＲＡ２・・・（３）
【００３１】
また、図５に示すように、基材ＢＳの一方の面全面に接着剤ＡＤ、ＡＤ１、ＡＤ２層を設け、接着剤ＡＤ、ＡＤ１、ＡＤ２層は、基材ＢＳから遠ざかる方向に突出した突出部ＦＢ、ＦＣを備え、基材ＢＳ全体に単位面積あたり所定の押圧力を加えたときに、同図中二点鎖線で示すように、突出部ＦＢ、ＦＣが押し潰されて所定の厚みＴＢで基材ＢＳ全面に広がるように設定されてもよい。なお、単位面積あたり所定の押圧力とは、例えば、１００ＫＰａ〜３００ＫＰａ程度の押圧力が例示できるが、それ以下でもそれ以上でもよい。このような場合でも、上述と同様の効果を得ることができる。この場合、接着剤ＡＤ、ＡＤ１、ＡＤ２層に基部ＦＡがあってもよいし、なくてもよく、例えば、接着剤ＡＤ層に基部ＦＡがなく、突出部ＦＢが円錐形状とされている場合、基材ＢＳ全面に広がった際の当該接着剤ＡＤ層の厚みをＴＢとした場合、突出部ＦＢにおける頂点ＴＰの高さＨＴは、下記式（４）で算出される。
【００３２】
ＨＴ＝３×ＴＢ・・・（４）
【００３３】
また、突出部ＦＢは、頂点ＴＰが基材ＢＳの中央に位置し、当該頂点ＴＰから前後左右に側面視または正面視で直線状または曲線状に傾斜する略四角錐形状に形成されてもよい。なお、突出部ＦＢは略三角錐状でもよいし、略五角錐、略六角錐・・・といった略五角錐以上でもよく、その形状に何ら限定はない。また、基材ＢＳも三角形や五角形、六角形・・・といった五角形以上でもよいし、楕円形やその他の形状でもよく、その形状に何ら限定はない。
さらに、突出部ＦＢは、傾斜面が側面視で凹状、凸状に湾曲した曲線状の略円錐形状または角錐形状に形成されもよい。
また、突出部ＦＣは、頂線ＴＬが基材ＢＳの中央を通り、当該頂線ＴＬから側面視または正面視で少なくとも左右および前後の何れかの方向に直線状、曲線状または折れ線状に傾斜する複数の傾斜面を備えてもよい。
さらに、頂線ＴＬは、正面視（図２のＸ軸方向から視て）上方に湾曲または折れ線状に折れ曲がっていてもよいし、平面視（図２の上方から視て）湾曲または折れ線状に折れ曲がっていてもよい。
【００３４】
また、突出部ＦＢ、ＦＣは、側面視で円弧状の頂部が頂点ＴＰまたは頂線ＴＬとされてもよい。
さらに、突出部ＦＢ、ＦＣは、頂点ＴＰが基材ＢＳの中心からずれた位置にあったり、頂線ＴＬが基材ＢＳの中心を通る位置からずれた位置にあったりしてもよく、頂点ＴＰまたは頂線ＴＬが各接着剤ＡＤ、ＡＤ１、ＡＤ２層の端縁にあってもよい。
また、突出部ＦＢ、ＦＣは、傾斜面が側面視で凹状、凸状に折れ曲がった折れ線状に形成されてもよい。
さらに、各接着剤ＡＤ、ＡＤ１、ＡＤ２層は、加熱または冷却等の外力を加えることで流動性を発揮するものや流動性が向上するもので構成されてもよく、この場合、各被着体ＷＫ、ＷＫ１、ＷＫ２に接着シートＡＳを押圧する際に、当該接着シートＡＳを適宜な加熱手段で加熱したり、適宜な冷却手段で冷却したりすればよい。
また、各接着剤ＡＤ、ＡＤ１、ＡＤ２層、基部ＦＡ、突出部ＦＢ、ＦＣ、および基材ＢＳの厚みは、技術常識に照らし合わせて前述した例示の厚み以上でもよいし、それ以下でもよい。
【００３５】
また、接着シートＡＳは、基材ＢＳの少なくとも一方の面の外縁部に当該面から遠ざかる方向に突出する突出部を設けたり、当該面の外縁部に各接着剤ＡＤ、ＡＤ１、ＡＤ２層を囲んで接着剤層を設けたりして、各接着剤ＡＤ、ＡＤ１、ＡＤ２層が基材ＢＳからはみ出すことを防止可能な構成としてもよい。
さらに、接着シートＡＳは、中央に円形や多角形等の所定形状の貫通孔を有する環状に形成され、環状の接着剤層の頂上線が円形状または多角形の頂線ＴＬとされ、当該頂線ＴＬから内縁および外縁にそれぞれ側面視で直線状、曲線状または折れ線状に傾斜する傾斜面を備えてもよい。
また、接着シートＡＳは、基材ＢＳの一方の面に上述した何れかの接着剤ＡＤ、ＡＤ１、ＡＤ２層を設け、他方の面に上述した何れかの接着剤ＡＤ、ＡＤ１、ＡＤ２層を設けた両面接着シートであってもよく、上下面が同じ形状の接着剤層であってもよいし、異なる形状の接着剤層であってもよい。なお、両面接着シートは、上下面が同じ組成の接着剤層であってもよいし、異なる組成の接着剤層であってもよい。
さらに、接着シートＡＳは、楕円形、三角形や五角形などの多角形、その他の異形であってもよいし、各被着体ＷＫ、ＷＫ１、ＷＫ２の形状と異なる形状でもよい。
【００３６】
また、本発明における接着シートＡＳおよび各被着体ＷＫ、ＷＫ１、ＷＫ２の材質、種別、形状等は、特に限定されることはない。例えば、接着シートＡＳは、円形、楕円形、三角形や四角形等の多角形、その他の形状であってもよいし、感圧接着性、感熱接着性等の接着形態のものであってもよく、感熱接着性の接着シートＡＳが採用された場合は、当該接着シートＡＳを加熱する適宜なコイルヒータやヒートパイプ等の加熱手段を設けるといった適宜な方法で接着されればよい。また、接着シートＡＳは、例えば、基材ＢＳと各接着剤ＡＤ、ＡＤ１、ＡＤ２層との間に中間層を有するものや、基材ＢＳの上面にカバー層を有する等３層以上のものであってもよい。また、各被着体ＷＫ、ＷＫ１、ＷＫ２としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができる。なお、接着シートＡＳを機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の被着体に貼付することができる。
【符号の説明】
【００３７】
ＢＳ        基材
ＡＤ        接着剤
ＡＤ１      第１接着剤（接着剤）
ＡＤ２      第２接着剤（接着剤）
ＡＳ        接着シート
ＦＡ        基部
ＦＢ、ＦＣ  突出部
ＮＡ        接着剤未積層部
ＰＳ        外縁空間
ＴＬ        頂線
ＴＰ        頂点
ＷＫ        被着体
ＷＫ１      第１被着体（被着体）
ＷＫ２      第２被着体（被着体）
【図１】
2015189800.tif 000003
【図２】
2015189800.tif 000004
【図３】
2015189800.tif 000005
【図４】
2015189800.tif 000006
【図５】
2015189800.tif 000007